(57)【要約】【課題】撮影時の被写体のポジションを維持したまま且つ撮影後に当該ポータブルＦＰＤ装置をデジタル画像処理装置の設置位置近傍まで移動させることなく、撮影により取得した画像を観察することができ、さらに一台のデジタル画像処理装置を複数台のポータブルＦＰＤ装置で共有して同時に利用可能なポータブルＦＰＤ装置を提供すること。【解決手段】Ｘ線画像診断に用いられるポータブルＦＰＤ装置10を次のように構成する。すなわち、Ｘ線画像診断に係る被写体13を載置する為の被写体載置部11と、前記被写体載置部11に載置された前記被写体13のＸ線撮影時に、Ｘ線に曝されない位置に格納される表示部15と、前記Ｘ線撮影により取得した前記被写体13の画像データ及び該画像データの関連情報の送受信を行う為の通信部と、をポータブルＦＰＤ装置10に具備させる。【選択図】      図１Ａ
2010051728.tif 000002
【特許請求の範囲】
【請求項１】
Ｘ線画像診断に用いられるポータブルＦＰＤ装置であって、
前記Ｘ線画像診断に係る被写体を載置する為の被写体載置部と、
前記被写体載置部に載置された前記被写体のＸ線撮影時に、Ｘ線に曝されない位置に格納される表示部と、
前記Ｘ線撮影により取得した前記被写体の画像データ及び該画像データの関連情報の送受信を行う為の通信部と、
を具備することを特徴とするポータブルＦＰＤ装置。
【請求項２】
前記ポータブルＦＰＤ装置は、筐体内に前記表示部を収納する為の収納空間と、該収納空間に前記表示部を挿入する為の挿入口と、を備えており、
前記表示部は、前記被写体のＸ線撮影時には、前記挿入口を介して前記収納空間内に収納されることを特徴とする請求項１に記載のポータブルＦＰＤ装置。
【請求項３】
前記ポータブルＦＰＤ装置は、第１の筐体と、第２の筐体と、前記第１の筐体と前記第２の筐体とを回動可能に結合する結合部と、を有し
前記被写体載置部は前記第１の筐体に備えられ、前記表示部は前記第２の筐体に備えられていることを特徴とする請求項１に記載のポータブルＦＰＤ装置。
【請求項４】
前記表示部は、所定の情報を入力する為の入力手段を有することを特徴とする請求項１に記載のポータブルＦＰＤ装置。
【請求項５】
前記通信部は、無線による通信又は有線による通信を行なうことを特徴とする請求項１に記載のポータブルＦＰＤ装置。
【請求項６】
前記表示部における表示面の面積は、前記被写体載置部における被写体載置面の面積より小さいことを特徴とする請求項１に記載のポータブルＦＰＤ装置。
【発明の詳細な説明】
【技術分野】
【０００１】
本発明は、Ｘ線画像診断に用いられるポータブルＦＰＤ装置に関する。
【背景技術】
【０００２】
Ｘ線画像診断装置は、１００年以上の歴史を持つ画像診断装置であり、現在も進化を続けている。Ｘ線画像診断装置による映像化の原理は、この１００年の間変わっていない。しかしながら、新しい画像診断装置の発展によって、その役割は変化しようとしている。例えば、従来は，癌の画像診断にはＸ線画像診断装置が唯一の手段であった。しかしながら、現在、例えば肺癌に関してはＣＴ装置の利用が有望視されている。
【０００３】
このような状況の中、近年、Ｘ線平面検出器（Ｆｌａｔ  Ｐａｎｅｌ  Ｄｅｔｅｃｔｏｒ；以降、単にＦＰＤと称する）の導入によって、高画質のデジタル画像が得られるようになり、Ｘ線画像診断装置の優位性が見直されている。このＦＰＤ装置の一つとして、持ち運びが可能なポータブルＦＰＤ装置が実用化されており、このポータブルＦＰＤ装置は例えば次のような利点を有する。
【０００４】
（利点１）撮影直後に撮影画像を確認することができるという点。この為、患者（被撮影者）を拘束する時間を短縮することができる。
【０００５】
（利点２）容易に持ち運び可能な装置である点。
【０００６】
（利点３）高解像度の画像を得ることができる点。
【０００７】
ポータブルＦＰＤ装置による撮影で収集された画像データは、当該ポータブルＦＰＤ装置が接続されたデジタル画像処理装置に送信され、このデジタル画像処理装置によって所定の画像処理が施されて表示部に表示される。
【０００８】
ところで、上述したようなポータブルＦＰＤ装置に関連する技術として、例えば特許文献１に次のような技術が開示されている。すなわち、特許文献１には、操作部をカセッテ本体とは別体に形成し、操作部の表示部に放射線固体検出器の動作状態を表示したり、画像処理条件を表示したり、放射線固体検出器から出力された画像信号に基づく画像を表示したりする放射線検出用カセッテが開示されている。
【０００９】
この特許文献１に開示された技術によれば、放射線固体検出器と放射線固体検出器の動作を制御する制御手段とがケースに収納されたカセッテ本体と、放射線固体検出器の動作の指示を行う操作部とを有する放射線検出用カセッテにおいて、放射線画像撮影装置に容易にセットすることができ、また、操作部における操作を容易に行うことができ、さらに放射線画像撮影装置から離れた位置においても操作部における操作ができる放射線検出用カセッテが提供される。
【特許文献１】特開２００４−１５７１１５号公報
【発明の開示】
【発明が解決しようとする課題】
【００１０】
ところで、ポータブルＦＰＤ装置は上述したような利点を有するが、他方、現時点においては例えば次のような課題を抱えている。
【００１１】
（課題１）取得した画像データを観察する為には、当該ポータブルＦＰＤ装置を、上述したデジタル画像処理装置の設置場所まで移動しなければならない点。これは、画像データの観察には、前記デジタル画像処理装置に設けられた表示部、又は前記デジタル画像処理装置に接続された表示部を用いることに起因する。
【００１２】
なお、ポータブルＦＰＤ自体に表示部を設けた場合、撮影時にＸ線が照射されることで当該表示部においてＸ線による劣化が生じてしまう。従って、ポータブルＦＰＤ自体に表示部を設ける構成は、現在実現していない。
【００１３】
（課題２）被写体を撮影時のポジションから動かさずに（撮影時の被写体ポジションを維持したままで）、当該撮影により取得した画像を観察することができない点。被写体を撮影時のポジションから一旦動かした後に、以前と全く同じ位置に再び被写体を位置させるのは非常に困難である。従って、精密な被写体位置の調整を行った上での再撮影を行うことができない。なお、表示部をポータブルＦＰＤ装置の裏面（ＦＰＤ入射面の裏側の面）に設ける技術は知られている。しかしながら、この技術を用いた場合には、撮影画像の確認の際に操作者の体勢に負担が掛かってしまう。
【００１４】
（課題３）ポータブルＦＰＤ装置と前記デジタル画像処理装置とを一対一で接続させる構成を採らなければならない（前記デジタル画像処理装置は一度に一台のポータブルＦＰＤ装置に対してのみしか画像データの送受信、処理及び観察をすることができない）点。この為、利用するポータブルＦＰＤ装置の台数が増加すれば、それに応じて前記デジタル画像処理装置の台数を増加させなくては、利用効率が低下してしまう。一方、前記デジタル画像処理装置の台数を増加させれば、コストも上昇してしまう。
【００１５】
本発明は、前記のような事情に鑑みて為されたものであり、Ｘ線画像診断に用いられるポータブルＦＰＤ装置であって、撮影時の被写体のポジションを維持したまま且つ撮影後に当該ポータブルＦＰＤ装置をデジタル画像処理装置の設置位置近傍まで移動させることなく、撮影により取得した画像を観察することができ、さらに一台のデジタル画像処理装置を複数台のポータブルＦＰＤ装置で共有して同時に利用可能なポータブルＦＰＤ装置を提供することを目的とする。
【課題を解決するための手段】
【００１６】
前記の目的を達成するために、本発明の一態様によるポータブルＦＰＤ装置は、
Ｘ線画像診断に用いられるポータブルＦＰＤ装置であって、
前記Ｘ線画像診断に係る被写体を載置する為の被写体載置部と、
前記被写体載置部に載置された前記被写体のＸ線撮影時に、Ｘ線に曝されない位置に格納される表示部と、
前記Ｘ線撮影により取得した前記被写体の画像データ及び該画像データの関連情報の送受信を行う為の通信部と、
を具備することを特徴とする。
【発明の効果】
【００１７】
本発明によれば、Ｘ線画像診断に用いられるポータブルＦＰＤ装置であって、撮影時の被写体のポジションを維持したまま且つ撮影後に当該ポータブルＦＰＤ装置をデジタル画像処理装置の設置位置近傍まで移動させることなく、撮影により取得した画像を観察することができ、さらに一台のデジタル画像処理装置を複数台のポータブルＦＰＤ装置で共有して同時に利用可能なポータブルＦＰＤ装置を提供することができる。
【発明を実施するための最良の形態】
【００１８】
以下、図面を参照して本発明の実施形態を説明する
［第１実施形態］
図１Ａ乃至図１Ｃは、本発明の第１実施形態に係るポータブルＦＰＤ装置の一構成例を示す外観図である。図１Ａ乃至図１Ｃに示すように、本第１実施形態に係るポータブルＦＰＤ装置１０は、被写体載置面１１と、表示部１５と、把持部１７と、通信部（不図示）と、を具備する。
【００１９】
前記被写体載置面１１は、Ｘ線撮影時に当該Ｘ線画像診断の対象である被写体１３を載置する為の面である。
【００２０】
前記表示部１５は、撮影により取得した画像データ等を表示する為のディスプレイである。具体的には、前記表示部１５としては、例えば液晶ディスプレイや有機ＥＬディスプレイ等を挙げることができる。なお、前記表示部１５として用いるディスプレイは、上述した液晶ディスプレイや有機ＥＬディスプレイに限られず、どのような技術によるディスプレイでも良いことは勿論である。
【００２１】
図１Ａ及び図１Ｂに示すように、前記ポータブルＦＰＤ装置１０は、筐体内に前記表示部１５を収納する為の収納空間と、該収納空間に前記表示部を挿入する為の挿入口１４と、を備えている。前記表示部１５は、前記被写体１３のＸ線撮影時には、前記挿入口１４を介して前記収納空間内に収納される。
【００２２】
図１Ａに示す状態においては、表示部１５は当該ポータブルＦＰＤ装置１０内部に設けられた前記収納空間に格納されており、その側面のみが外部へ露出している。このような形態を採ることで、Ｘ線撮影時に表示部１５における表示面はＸ線に曝されない。つまり、Ｘ線照射に起因する劣化が表示部１５に生じない。
【００２３】
図１Ａに示す状態で、表示部１５が当該ポータブルＦＰＤ装置１０の内部方向へ一旦押圧されると、表示部１５は当該ポータブルＦＰＤ装置１０の外部へ飛び出して後述する表示エリア１５Ｅが外部に露出する（図１Ｂに示す状態となる）。つまり、表示部１５の当該ポータブルＦＰＤ装置１０への格納は、例えばデジタルカメラ等におけるメモリカード等の挿抜に用いられているような格納構造を用いることができる。なお、このような格納構造は周知の技術である為、詳細な説明は省略する。
【００２４】
図１Ｂに示すように、画像データ及び各種情報等を表示する為の表示エリア１５Ｅは、受診者情報入力エリア１５Ａと、タッチキーボード１５Ｂと、ペン収納部１５Ｃと、表示切り替え部１５Ｄと、を備える。なお、表示エリア１５Ｅのサイズ（面積）は、ポータブルＦＰＤ装置１０の筐体上面（前記被写体載置面１１）に対して小さいサイズ（面積）であることが好ましい。
【００２５】
前記受診者情報入力エリア１５Ａは、当該ポータブルＦＰＤ装置１０を用いてＸ線画像診断を行う受診者に係る情報（受診者情報）を入力する為の表示エリアである。この受診者情報の入力方式としては、例えば直接入力式であっても良いし、選択回答式であっても良い。
【００２６】
前記タッチキーボード１５Ｂは、所謂ソフトキーボードが表示されるエリアである。ユーザーは、このタッチキーボード１５Ｂを用いて所定の文字・記号等を入力することができる。
【００２７】
前記ペン収納部１５Ｃは、情報の入力にタッチペンを用いる場合に利用するペンタブレットを収納する為の部位である。
【００２８】
前記表示切り替え部１５Ｄは、上述した受診者情報入力エリア１５Ａ及びタッチキーボード１５Ｂの表示／非表示を切り替える為の操作部である。この表示切り替え部１５を用いて受診者情報入力エリア１５Ａ及びタッチキーボード１５Ｂを非表示とすることで、表示エリア１５Ｅの全面に所望の画像データを表示させることができる。
【００２９】
前記把持部１７は、当該ポータブルＦＰＤ装置１０を実際に持ち運ぶ際等にユーザーが把持する為の部材である。
【００３０】
前記通信部（不図示）は、後述するデジタル画像処理装置と画像データ等の送受信を行なう際に利用する通信部である。
【００３１】
以下、本第１実施形態に係るポータブルＦＰＤ装置１０による撮影で取得した画像データの表示方法について説明する。
【００３２】
図１Ｃは、本発明の第１実施形態に係るポータブルＦＰＤ装置１０による撮影で取得した画像データをデジタル画像処理装置２０で画像処理する際の接続構成の一例を示す図である。
【００３３】
まず、ポータブルＦＰＤ装置１０の前記通信部（不図示）と、デジタル画像処理装置２０と、を通信可能に接続する。なお、この接続は無線によるものであっても有線によるものであっても何れでもよい。
【００３４】
続いて、前記ポータブルＦＰＤ装置１０は、撮影により取得した画像データ、及び前記受診者情報入力エリア１５Ａに入力された受診者情報を、前記デジタル画像処理装置２０に送信する。
【００３５】
そして、前記デジタル画像処理装置２０は、ポータブルＦＰＤ装置１０から送信された画像データに所定の処理を施して、前記ポータブルＦＰＤ装置１０へ送信する。前記ポータブルＦＰＤ装置１０は、このデジタル画像処理装置２０によって画像処理が施された画像データを、前記表示部１５における前記表示エリア１５Ｅに表示させる。
【００３６】
以下、本第１実施形態に係るポータブルＦＰＤ装置１０による撮影から画像データの表示までの一連の処理の流れを時系列に沿って説明する。
【００３７】
まず、被写体をポータブルＦＰＤ装置１０の前記被写体載置面１１上に載置し、Ｘ線診断装置によって被写体１３を撮影する。この撮影後、上述したように前記表示部１５を当該ポータブルＦＰＤ装置１０の内部方向へ押圧し、前記表示部１５を当該ポータブルＦＰＤ装置１０の側面から引き出し、前記表示エリア１５ＥをポータブルＦＰＤ装置１０の外部に露出させる。
【００３８】
ここで、前記表示エリア１５Ｅにおける前記受診者情報入力エリア１５Ａに、例えば前記タッチキーボード１５Ｂ等を用いて受診者情報を入力する。
【００３９】
そして、前記受診者情報、及び撮影により取得した画像データを、通信部（不図示）によってデジタル画像処理装置２０に送信する。その後、上述したようにデジタル画像処理装置２０によって所定の画像処理が施された画像データを、デジタル画像処理装置２０から受信する。そして、この画像データを前記表示エリア１５Ｅに表示させる。
【００４０】
図２は、複数台の本第１実施形態に係るポータブルＦＰＤ装置１０に対して、１台のデジタル画像処理装置２０で上述した一連の処理を行う際の接続構成の一例を示す図である。
【００４１】
本第１実施形態に係るポータブルＦＰＤ装置１０は、上述したように画像データの表示機能を有しているので、デジタル画像処理装置２０は単に所定の画像処理を施すだけでよい。従って、デジタル画像処理装置２０に求められるのは、各々のポータブルＦＰＤ装置１０から送信された画像データに所定の画像処理を施すことのみである為、接続された複数のポータブルＦＰＤ装置１０からの処理要求に迅速に応じることができる。つまり、デジタル画像処理装置２０を１台のみしか設置しなくとも、画像表示の為に当該デジタル画像処理装置２０を用いない（所定の画像処理にのみ当該デジタル画像処理装置２０を用いる）為、当該デジタル画像処理装置２０に接続された各々のポータブルＦＰＤ装置１０において同時に画像観察を行うことができる。
【００４２】
以上説明したように、本第１実施形態によれば、Ｘ線画像診断に用いられるポータブルＦＰＤ装置１０であって、撮影時の被写体のポジションを維持したまま且つ撮影後に当該ポータブルＦＰＤ装置１０をデジタル画像処理装置の設置位置近傍まで移動させることなく、撮影により取得した画像を観察することができ、さらに一台のデジタル画像処理装置２０を複数台のポータブルＦＰＤ装置１０で共有して同時に利用可能なポータブルＦＰＤ装置１０を提供することができる。
【００４３】
本第１実施形態に係るポータブルＦＰＤ装置１０によれば、１台のデジタル画像処理装置２０に対して複数のポータブルＦＰＤ装置１０を用いることができる為、デジタル画像処理装置２０の設置台数を減らすことによるコストダウンが可能となる。
【００４４】
さらには、本第１実施形態に係るポータブルＦＰＤ装置１０によれば、ポータブルＦＰＤ装置１０を用いたＸ線撮影により取得した画像を、撮影を行った場所で、撮影した被写体のポジションを動かさずに、操作者も楽な姿勢で、観察できる。このように撮影時の被写体のポジションを動かさずに、撮影により取得した画像を観察することができる為、被写体位置の精密な調整を行っての再撮影を行うことが可能となる。
【００４５】
［第２実施形態］
以下、本発明の第２実施形態に係るポータブルＦＰＤ装置について説明する。説明の重複を避ける為、第１実施形態に係るポータブルＦＰＤ装置との相違点を中心に説明する。図３Ａ乃至図３Ｄは、本第２実施形態に係るポータブルＦＰＤ装置１００の一構成例を示す図である。
【００４６】
第１実施形態に係るポータブルＦＰＤ装置１０と、本第２実施形態に係るポータブルＦＰＤ装置１００との主な相違点の一つは、前記表示部１５の格納構造である。本第２実施形態に係るポータブルＦＰＤ装置１００では、前記表示部１５が、例えば携帯電話機等で用いられている所謂“折り畳み式”により内部に格納される（図３Ａ乃至図３Ｃ参照）。
【００４７】
詳細には、本第２実施形態に係る前記ポータブルＦＰＤ装置１００は、第１の筐体１００Ａと、第２の筐体１００Ｂと、前記第１の筐体１００Ａと前記第２の筐体１００Ｂとを回動可能に結合する結合部１００Ｃと、を有する。ここで、前記被写体載置面１１は前記第１の筐体１００Ａに備えられ、前記表示部１５は前記第２の筐体１００Ｂに備えられている。
【００４８】
図３Ａは、折り畳まれた状態のポータブルＦＰＤ装置１００の外観を示す図である。図３Ａに矢印２００で示す方向は、前記第１の筐体１００Ａに備えられた前記被写体載置面１１と前記第２の筐体１００Ｂに備えられた前記表示部１５とを、当該ポータブルＦＰＤ装置１００の外部に露出させる為に、前記第２の筐体１００Ｂを回動させる方向である。
【００４９】
ここで、当該ポータブルＦＰＤ装置１００が図３Ｂに示すように“開かれた状態”にある場合には、表示エリア１５Ｅ及び被写体載置面１１は、当該ポータブルＦＰＤ装置１００の外部に露出された状態となる。
【００５０】
なお、この“開かれた状態”から、さらに図３Ｃに矢印２１０で示す方向に第２の筐体１００Ｂを回動させることで、図３Ｃに示すように表示エリア１５Ｅ及び被写体載置面１１を当該ポータブルＦＰＤ装置１００の外部に露出した状態のまま“閉じられた状態”とすることができる。この状態で撮影を行うことで、表示エリア１５Ｅへ照射されるＸ線をより減じることができる。
【００５１】
本第２実施形態に係るポータブルＦＰＤ装置１００による撮影から画像データの表示までの一連の処理における、前記第１実施形態に係るポータブルＦＰＤ装置１００との相違点は、被写体を前記被写体載置面１１上に載置する前に、当該ポータブルＦＰＤ装置１００を図３Ｂ又は図３Ｃに示す状態にする必要がある点である。その他の処理は、上述した第１実施形態に係るポータブルＦＰＤ装置１００と同様である。
【００５２】
ところで、前記デジタル画像処理装置２０との接続構成は例えば図３Ｄに示すような接続構成となる。なお、図３Ｄは有線による接続構成例を示しているが、無線による接続としても勿論よい。
【００５３】
以上説明したように、本第２実施形態によれば、前記第１実施形態に係るポータブルＦＰＤ装置１０と同様の効果を奏するポータブルＦＰＤ装置１００を提供することができる。
【００５４】
以上、第１実施形態及び第２実施形態に基づいて本発明を説明したが、本発明は上述した実施形態に限定されるものではなく、本発明の要旨の範囲内で種々の変形及び応用が可能なことは勿論である。
【００５５】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５６】
【図１Ａ】本発明の第１実施形態に係るポータブルＦＰＤ装置の一構成例を示す外観図。
【図１Ｂ】本発明の第１実施形態に係るポータブルＦＰＤ装置の一構成例を示す外観図。
【図１Ｃ】本発明の第１実施形態に係るポータブルＦＰＤ装置の一構成例を示す外観図。
【図２】複数台の第１実施形態に係るポータブルＦＰＤ装置に対して、１台のデジタル画像処理装置で上述した一連の処理を行う際の接続構成の一例を示す図。
【図３Ａ】本発明の第２実施形態に係るポータブルＦＰＤ装置の一構成例を示す図。
【図３Ｂ】本発明の第２実施形態に係るポータブルＦＰＤ装置の一構成例を示す図。
【図３Ｃ】本発明の第２実施形態に係るポータブルＦＰＤ装置の一構成例を示す図。
【図３Ｄ】本発明の第２実施形態に係るポータブルＦＰＤ装置の一構成例を示す図。
【符号の説明】
【００５７】
１０，１００…ポータブルＦＰＤ装置、  １１…被写体載置面、  １３…被写体、  １５…表示部、  １５Ａ…受診者情報入力エリア、  １５Ｂ…タッチキーボード、  １５Ｃ…ペン収納部、  １５Ｄ…表示切り替え部、  １５Ｅ…表示エリア、  １７…把持部、  ２０…デジタル画像処理装置、  １００Ａ…第１の筐体、  １００Ｂ…第２の筐体。
【図１Ａ】
2010051728.tif 000003
【図１Ｂ】
2010051728.tif 000004
【図１Ｃ】
2010051728.tif 000005
【図２】
2010051728.tif 000006
【図３Ａ】
2010051728.tif 000007
【図３Ｂ】
2010051728.tif 000008
【図３Ｃ】
2010051728.tif 000009
【図３Ｄ】
2010051728.tif 000010